(57)【特許請求の範囲】
【請求項１】
被支持体を所定の高さ位置に支持するように床面上に位置する複数の脚体と、これら脚体の少なくとも一つの脚体下部の側面に位置するアジャスタとを備えたスタンドにおいて、
前記アジャスタは、略鉛直面内で回転する板状に設けられ、前記脚体下部の側面に回転可能に取り付けられた本体部と、この本体部に連設されて前記床面に接地するとともに、少なくとも接地する側の面が脚体下部と床面との間に配置される曲面形状に設けられた接地部と、前記脚体下部の側面に本体部を回転可能及び回転規制可能に取り付けるノブボルトとを備え、
前記接地部の曲面形状は、本体部の回転中心から接地部までの距離が曲面の一端から他端に向かって漸増するように設けられていることを特徴とするスタンド。
【請求項２】
前記本体部には操作部が設けられていることを特徴とする請求項１記載のスタンド。
【請求項３】
前記操作部は、本体部の面に対して交わる方向に向けられていることを特徴とする請求項２記載のスタンド。
【請求項４】
前記操作部は、前記本体部の回転中心位置を基準として前記接地部とは反対側に設けられていることを特徴とする請求項２又は３記載のスタンド。
【発明の詳細な説明】
【０００１】
【発明の属する技術分野】
本発明は、スタンドに係り、更に詳しくは、脚体の高さ調整を容易に行うことのできるスタンドに関する。
【０００２】
【従来の技術】
従来より、楽器等を所定の高さ位置に支持するスタンドが広く利用されている。このようなスタンドとしては、例えば、図１１に示されるように、床面上に位置する複数の脚体５０と、これら脚体５０の上部に設けられて楽器を乗せることのできる図示省略した天板とを備えたものが存在する。
【０００３】
前記各脚体５０は、床面Ｆ上に位置して略水平方向に延びる底部材５２と、この底部材５２の図１１中左右両端側に設けられた接地用のキャップ５３と、同図中右側のキャップ５３にねじ５５を用いて回転可能に取り付けられたアジャスタ５６とを備えて構成されている。このアジャスタ５６は、図１２に示されるように、その下端側にアジャスタ５６の回転中心Ｃに対して偏心した位置を中心とする円弧状の接地部５７を備え、この接地部５７は、図１２の状態で回転中心Ｃを通る仮想鉛直線Ｌに対して左右対称形状に設けられている。ここで、図１１に示されるように、凹凸や傾斜のある床面Ｆ上にスタンドを設置する場合、アジャスタ５６を回転させて接地部５７と床面Ｆとの接地点を可変させることにより、脚体５０の高さ位置を調整することができ、これにより、脚体５０のがたつきが回避されることとなる。
【０００４】
【発明が解決しようとする課題】
しかしながら、このようなアジャスタ５６の構成にあっては、回転操作を行うための操作部が設けられていないため、荷重がかかっている状態では、回転操作に多大な負担が伴うという不都合を生じる。また、接地部５７の形状が左右対称形状となるため、図１２に示される状態から左右何れの方向に回転した場合であっても、脚体５０の高さ調整幅Ｈは略同一となる。これにより、接地部５７の高さ調整として有効に機能する範囲は接地部５７の略半分の領域となってしまい、接地部５７の最大幅Ｗに対して高さ調整幅Ｈを大きく稼ぐことができないという不都合を生じる。
【０００５】
ここで、図１３に示されるように、前記接地部５７の曲率を大きくすることにより、高さ調整幅Ｈを大きく確保することができるが、この場合、小さい回転角で脚体５０の高さが大きく変動してしまい、天板上に楽器を乗せている場合、アジャスタ５６を回転させるための動作抵抗が極めて大きくなるという反射的不都合を招来する。
【０００６】
【発明の目的】
本発明は、このような不都合に着目して案出されたものであり、その目的は、脚体の高さ調整をスムースに行うことができ、また、アジャスタの高さ調整幅を大きく確保することができるスタンドを提供することにある。
【０００７】
【課題を解決するための手段】
前記目的を達成するため、本発明は、
被支持体を所定の高さ位置に支持するように床面上に位置する複数の脚体と、これら脚体の少なくとも一つの脚体下部の側面に位置するアジャスタとを備えたスタンドにおいて、
前記アジャスタは、略鉛直面内で回転する板状に設けられ、前記脚体下部の側面に回転可能に取り付けられた本体部と、この本体部に連設されて前記床面に接地するとともに、少なくとも接地する側の面が脚体下部と床面との間に配置される曲面形状に設けられた接地部と、前記脚体下部の側面に本体部を回転可能及び回転規制可能に取り付けるノブボルトとを備え、
前記接地部の曲面形状は、本体部の回転中心から接地部までの距離が曲面の一端から他端に向かって漸増するように設けられる、という構成を採っている。このような構成によれば、前記曲面形状の一端側から他端側までの範囲で有効に高さ調整を行うことができ、接地部の最大幅及び曲率を同一とする従来のアジャスタに比べて高さ調整幅を大きく確保することが可能となる。
【０００９】
【発明の実施の形態】
本発明において、前記本体部には操作部が設けられる、という構成が好ましくは採用され、これによれば、操作部を所定操作することにより、アジャスタを簡易且つ迅速に回転させることができ、しかも、接地部に触れることなく回転操作可能なため手を汚す虞もない。また、前記操作部は、本体部の面に対して交わる方向に向けられている、という構成を採ることが好ましい。このような構成によれば、脚体に手が干渉することなくアジャスタをスムースに回転させることができる。
【００１０】
また、前記操作部は、前記本体部の回転中心位置を基準として前記接地部とは反対側に設けられる、という構成も採用することができる。このような構成を採れば、床面から離れた位置で操作部を操作することができ、且つ、前記回転中心から操作部の先端までの距離を当該回転中心から接地部までの距離より大きくすれば、操作力の軽減を図ることが可能となる。
【００１１】
なお、本明細書における方向若しくは位置的用語は、特に明示しない限り、図３を基準として用いるものとする。
【００１２】
【実施例】
以下、本発明の実施例を図面を参照しながら説明する。
【００１３】
図１には、実施例に係るスタンドの概略斜視図が示され、図２には、図１の分解斜視図が示されている。また、図３には、図１の正面図が示されている。これらの図において、スタンド１０は、特に限定されるものでないが、本実施例では、被支持体としての大正琴Ｔを支持するとともに、当該大正琴Ｔの演奏に適した大きさに設けられている。スタンド１０は、所定の高さ位置に設けられて上面に大正琴Ｔを設置可能な天板１１と、床面Ｆ上に位置して天板１１を支持する一対の脚体１２，１２と、一方の脚体１２の下部に設けられたアジャスタ１３とを備えて構成されている。
【００１４】
前記天板１１は、左右方向に細長となる平面視略長方形状に設けられるとともに、その前端側に垂下面部１５を備えている。この垂下面部１５の面内には、天板１１の左右方向中心位置に対して対称となるように複数の穴１６が設けられ、これらの穴１６は、後述する脚体１２の突起が受容可能となっている。また、天板１１の後端側には、ワイヤ等を屈曲変形させることにより形成された譜面台１７が設けられている。
【００１５】
前記各脚体１２，１２は、図２に明瞭に示されるように、床面Ｆ上に横たわるように位置して前後方向に延びる略円筒状の底部材１９と、この底部材１９の長手方向二箇所位置に連設された一対の起立部材２０，２０と、これら起立部材２０，２０の上端側に設けられて底部材１９と略平行に延びる支持部材２１とを備えて構成されている。各脚体１２の起立部材２０は、正面視略Ｘ型となるように長手方向略中間位置において他方の脚体１２の起立部材２０に回転可能に連結され、これにより、各支持部材２１，２１が相互に離間及び接近して当該支持部材２１，２１の高さ位置を調整できるようになっている。また、各支持部材２１，２１の前端面には、突起２３，２３がそれぞれ設けられ、これら突起２３，２３を天板１１の左右中心位置から同一距離となる前述の穴１６にそれぞれ挿入することにより、脚体１２の回転を規制して天板１１の水平姿勢を保つことができ、且つ、天板１１の高さ位置を数段階に亘って設定できるようになっている。更に、図３中左側に位置する底部材１９の前端部には、前記アジャスタ１３が取り付けられているとともに、それ以外の底部材１９の端部には、接地用のキャップ２４がそれぞれ装着されている。
【００１６】
前記アジャスタ１３は、図４ないし図６に示されるように、本実施例では、一枚の金属板を折り曲げ加工することにより構成され、当該アジャスタ１３は、ノブボルト２５を介して底部材１９の前端部に取り付けられている。このアジャスタ１３は、ノブボルト２５を緩めたときに、底部材１９の周方向に回転可能に設けられている一方、ノブボルト２５を締めたときに、前記回転を規制可能となっている。アジャスタ１３は、略鉛直面内に位置するとともに、面内に前記ノブボルト２５を挿通させる穴２７Ａを備えた板状の本体部２７と、この本体部２７の図６中右下領域に連なるとともに、当該本体部２７と略直交する方向に延びて床面Ｆに接地する接地部２８と、この接地部２８と反対側に設けられて本体部２７に連なる操作部２９とを備えて構成されている。操作部２９は、本体部２７の図６中左上領域を屈曲させて当該本体部２７の面に対して略直交する方向に向けられており、前記起立部材２０と位置的に干渉することなくアジャスタ１３の回転操作時に指先をあてがい易いようになっている。
【００１７】
前記接地部２８は、前記キャップ２４の外径より大きい外径を備えた円弧状の曲面形状に設けられるとともに、図６に示される状態で、前記円弧の中心位置Ｃ１がアジャスタ１３の回転中心Ｃ２に対して同図中上方に偏心するように設けられている。また、接地部２８は、図７に示されるように、回転方向に沿う曲面の一端２８Ａ（図７中左端）側と他端２８Ｂ（同図中右端）側とが回転中心Ｃ２を通る仮想鉛直線Ｌ１に対して左右非対称となり、回転中心Ｃ２から接地部２８までの距離が曲面の一端２８Ａから他端２８Ｂに向かって漸増するように設けられている。これにより、接地部２８は、図８に示されるように、前記一端２８Ａ側が接地した場合と他端２８Ｂ側が接地した場合との間で脚体１２の高さ調整幅Ｈ１を大きく確保できるようになっている。
【００１８】
以上の構成において、脚体１２の高さ調整を行う作業は、ノブボルト２５の締め付けを解除した後、操作部２９に指先を当ててアジャスタ１３を回転し、接地部２８及びキャップ２４と床面Ｆとが接地するようにアジャスタ１３をセットした後、ノブボルト２５を再度締めることにより行われる。これにより、図９に示されるように、床面Ｆが略水平となる場合、接地部２８の一端２８Ａを接地させることにより脚体１２のがたつきが解消される。この一方、図１０に示されるように、床面Ｆに段差がある場合、図９に示される状態から矢印Ａ方向にアジャスタ１３を回転し、接地部２８の他端２８Ｂ側を接地させることにより、脚体１２のがたつきを解消することができる。
【００１９】
従って、このような実施例によれば、接地部２８を回転中心Ｃ２に対して非対称形状としたから、接地部２８の一端２８Ａから他端２８Ｂまでの範囲で脚体１２の高さ調整を行うことができる。これにより、図７及び図１２に示されるように、接地部２８の最大幅Ｗ１を従来タイプのアジャスタ５６と接地部５７の最大幅Ｗと同一とした場合であっても、脚体１２の高さ調整幅Ｈ１を大きく確保することが可能となる。また、回転中心Ｃ２から接地部２８までの距離が一端２８Ａから他端２８Ｂに向かって緩やかに漸増するので、アジャスタ１３の回動抵抗を少なくすることができ、天板１１上に大正琴Ｔを乗せた場合であってもアジャスタ１３をスムースに回転操作することが可能となる。更に、操作部２９は、図６ないし図８に示されるように、回転中心Ｃ２より常に上方に位置するため、操作時に無理な姿勢となることなく良好なる操作性を維持することができる。
【００２０】
なお、前記実施例において、アジャスタ１３を片側の底部材１９の前端部のみに設けた場合を説明したが、本発明は、これに限定されるものでなく、前記キャップ２４に代えて同様のアジャスタ１３を複数設けてもよい。これにより、複数箇所で容易に脚体１２の高さ調整を行うことができ、床面Ｆにうねりがあっても、これに対応した高さ調整を難なく行うことも可能となる。
【００２１】
また、前記脚体１２の構造は、図示構成例に限定されるものでなく、例えば、床面Ｆ上に位置して略鉛直方向に延びる固定型の四本の脚部材等に代替してもよい。
【００２２】
【発明の効果】
以上説明したように、本発明は、脚体下部に位置するアジャスタが、脚体に回転可能に取り付けられた本体部と、この本体部に連設されて床面に接地する接地部と、本体部に設けられた操作部とを備えているから、アジャスタの接地部側を掴むことなくアジャスタを容易に回転させることができ、ひいては、脚体の高さ調整をスムースに行うことが可能となる。
【００２３】
また、本発明は、脚体下部に位置するアジャスタが、脚体に回転可能に取り付けられた本体部と、この本体部に連設されて床面に接地する接地部とを含み、当該接地部の接地する側の面が曲面形状に設けられるとともに、回転方向に沿う曲面の一端側と他端側とが回転中心に対して非対称に設けられているから、接地部の最大幅及び曲率が同一となる従来のアジャスタと比較して、高さ調整幅を大きく確保することができる。
【００２４】
更に、本体部を略鉛直面内で回転する板状に設け、操作部を本体部の面に対して交わる方向に向ける構成とした場合には、脚体に手が干渉することなく、アジャスタの回転操作をスムースに行うことができる。
【００２５】
また、操作部が接地部とは反対側に設けられているから、床面から離れた位置で操作部を容易に操作することができ、アジャスタの回転中心から操作部の先端までの距離を大きく設定すれば、操作力の軽減を図ることが可能となる。
【図面の簡単な説明】
【図１】  実施例に係るスタンドの概略斜視図。
【図２】  図１の分解斜視図。
【図３】  図１の正面図。
【図４】  アジャスタの拡大斜視図。
【図５】  図４のアジャスタを反対側から見た概略斜視図。
【図６】  図４の正面図。
【図７】  アジャスタを回転させたときの中間状態を示す説明図。
【図８】  アジャスタを回転後の状態を示す説明図。
【図９】  脚体下部の拡大側面図。
【図１０】  アジャスタを回転させた状態を示す図９と同様の側面図。
【図１１】  従来例に係るスタンドの脚体下部を示す一部断面側面図。
【図１２】  図１１のアジャスタの正面図。
【図１３】  他の従来例に係るアジャスタの正面図。
【符号の説明】
１０・・・スタンド、１２・・・脚体、１３・・・アジャスタ、２７・・・本体部、２８・・・接地部、２９・・・操作部、Ｆ・・・床面、Ｔ・・・大正琴（被支持物）
【図１】
0003906658.tif 000002
【図２】
0003906658.tif 000003
【図３】
0003906658.tif 000004
【図４】
0003906658.tif 000005
【図５】
0003906658.tif 000006
【図６】
0003906658.tif 000007
【図７】
0003906658.tif 000008
【図８】
0003906658.tif 000009
【図９】
0003906658.tif 000010
【図１０】
0003906658.tif 000011
【図１１】
0003906658.tif 000012
【図１２】
0003906658.tif 000013
【図１３】
0003906658.tif 000014